(57)【要約】【課題】光ディスクに記録された情報を処理する構成を保持しつつ光ディスクに対して良好に進退できる台座部を備えたディスク装置の提供。【解決手段】ディスク装置に、台座基部２１１の長手方向と略直交する仮想回動軸Ｃ１を中心に回動可能に長手方向の一端側がケース体に軸支された台座部２１０と、移動用電動モータ３５２が設けられる機構保持配置部材３９０と、機構保持取付部材３７０から突出する状態で設けられた保持部材回動軸４００と、機構保持配置部材３９０に設けられ保持部材回動軸４００を受ける回動軸挿通孔部３９１Ａと、を設けた。【選択図】図２
2008152890.tif 000002
【特許請求の範囲】
【請求項１】
略箱状のケース体内に挿入されたディスク状記録媒体に対してピックアップを前記ディスク状記録媒体の径方向に略沿って移動させる移動用電動モータを備え前記ディスク状記録媒体に記録された情報を処理する情報処理部を、前記ディスク状記録媒体に対して進退可能に保持する情報処理部保持装置であって、
略枠状に形成され、一縁側が前記ディスク状記録媒体の略中央に対して進退する状態で、他縁側が前記ケース体の側縁近傍に回動可能に軸支される保持装置本体と、
前記移動用モータを保持するモータ保持部材と、
前記移動用電動モータが前記保持装置本体の前記一縁側に位置する状態で前記モータ保持部材を前記保持装置本体に対して回動可能に保持する回動保持部と、
を具備したことを特徴とした情報処理部保持装置。
【請求項２】
請求項１に記載の情報処理部保持装置であって、
前記移動用電動モータは、略箱状のモータ本体と、このモータ本体の一面から突出する出力軸と、を備え、
前記情報処理部は、外周面に螺旋状の係合溝を有する略細長棒状に形成され前記移動用電動モータの前記出力軸に一体的に設けられたリードスクリュと、このリードスクリュの前記係合溝に係合する移動規制爪部を有し前記ピックアップが搭載されるピックアップベースと、を備え、
前記モータ保持部材は、前記移動用電動モータおよび前記リードスクリュを保持し、
前記回動保持部は、前記保持装置本体および前記モータ保持部材のうちいずれか一方に設けられ、いずれか他方に向けて略棒状に突出する保持部材回動軸と、前記保持装置本体および前記モータ保持部材のうちいずれか一方に設けられ、前記保持部材回動軸を受ける軸受部と、を備えた
ことを特徴とした情報処理部保持装置。
【請求項３】
請求項２に記載の情報処理部保持装置であって、
前記保持装置本体の前記一縁側が前記ディスク状記録媒体に対して進出した際に、前記モータ保持部材を前記保持装置本体に対して回動させて、前記リードスクリュの軸方向が前記ディスク状記録媒体の面方向と略平行となる状態に位置決めする進出時回動位置決め部を具備した
ことを特徴とした情報処理部保持装置。
【請求項４】
請求項３に記載の情報処理部保持装置であって、
前記進出時回動位置決め部は、前記モータ保持部材を前記回動させる状態に付勢する回動付勢手段と、この回動付勢手段の付勢による前記モータ保持部材の回動を前記リードスクリュの軸方向が前記ディスク状記録媒体の面方向と略平行となる状態で規制する回動規制手段と、を備えた
ことを特徴とした情報処理部保持装置。
【請求項５】
請求項４に記載の情報処理部保持装置であって、
前記回動付勢手段は、針金を屈曲させて形成されたばね基部、および、このばね基部を構成する前記針金の両端側が互いに略対向する状態で突出して構成された一対のばね端突出部を備え、一方の前記ばね端突出部が前記保持装置本体に係止され、他方の前記ばね端突出部が前記モータ保持部材に係止された状態で設けられ、前記一対のばね端突出部が互いに近づく状態または離れる状態で変形された際の反力により前記モータ保持部材を前記保持装置本体に対して回動させる状態に付勢する回動付勢ばね部材である
ことを特徴とした情報処理部保持装置。
【請求項６】
請求項２ないし請求項５のいずれかに記載の情報処理部保持装置であって、
前記保持部材回動軸は、前記保持装置本体における前記ケース体に軸支される側に設けられた
ことを特徴とした情報処理部保持装置。
【請求項７】
請求項１に記載の情報処理部保持装置であって、
前記移動用電動モータは、略箱状のモータ本体と、このモータ本体の一面から突出する出力軸と、を備え、
前記情報処理部は、外周面に螺旋状の係合溝を有する略細長棒状に形成されたリードスクリュと、このリードスクリュの前記係合溝に係合する移動規制爪部を有し前記ピックアップが搭載されるピックアップベースと、前記移動用電動モータの前記出力軸の一端側から前記リードスクリュの一端側にかけて設けられ前記出力軸の動力を前記リードスクリュに伝達する動力伝達機構と、を備え、
前記モータ保持部材は、前記リードスクリュの一端側が挿通される第１スクリュ挿通孔と、この第１スクリュ挿通孔に挿通された前記リードスクリュの一端に係合される第１スクリュ端係合部と、前記出力軸の一端側が前記リードスクリュの一端側の近傍に位置する状態で前記モータ本体が配置されるモータ取付部と、を備え、
前記回動保持部は、前記保持装置本体に設けられ前記リードスクリュの一端側が挿通される第２スクリュ挿通孔と、前記保持装置本体に設けられ前記リードスクリュの他端に係合される第２スクリュ端係合部と、を備え、前記リードスクリュにおける前記第１スクリュ挿通孔および前記第２スクリュ挿通孔に挿通された部分において、前記モータ保持部材を前記保持装置本体に対して回動可能に保持する
ことを特徴とした情報処理部保持装置。
【請求項８】
略箱状に形成されディスク状記録媒体を収納可能なケース体と、
このケース体内に挿入されたディスク状記録媒体に対してピックアップを前記ディスク状記録媒体の径方向に略沿って移動させる移動用電動モータを備え前記ディスク状記録媒体に記録された情報を処理する情報処理部と、
この情報処理部を前記ディスク状記録媒体に対して進退可能に保持する請求項１ないし請求項７のいずれかに記載の情報処理部保持装置と、
を具備したことを特徴としたディスク装置。
【発明の詳細な説明】
【技術分野】
【０００１】
本発明は、ピックアップをディスク状記録媒体の径方向に略沿って移動させる移動用電動モータを備えディスク状記録媒体に記録された情報を処理する情報処理部を、保持する情報処理部保持装置、および、ディスク装置に関する。
【背景技術】
【０００２】
従来、ディスク状の記録媒体を処理するディスク装置が知られている。（例えば、特許文献１参照）。
【０００３】
特許文献１に記載のものは、トラバースメカを構成し、光ディスクの挿排方向と直交する軸によって揺動変位自在に支持されたフレームを備えている。そして、このフレームの軸側に、リードスクリュを回転駆動させるステッピングモータが配置された構成がとられている。
【０００４】
【特許文献１】特開２００５−３８４８３号公報
【発明の開示】
【発明が解決しようとする課題】
【０００５】
しかしながら、特許文献１のような構成では、フレームの回動軸側、つまり光ディスクの外周側にステッピングモータを配置しているため、ディスク装置の小型化を容易に図ることができないおそれがある。また、ディスク装置の小型化を図るために、ステッピングモータをフレームにおけるターンテーブル側、つまり光ディスクの中心側に配置することが考えられるが、フレームが回動した際に、ステッピングモータがディスク装置のケース体に当接してしまい、フレームの回動が規制されてしまうおそれがある。このため、光ディスク挿入時におけるターンテーブルとの間隔を大きくするため、フレームの回動量を多くするためには、ディスク装置の厚型化が必要になるおそれがある。
【０００６】
本発明は、ディスク状記録媒体に記録された情報を処理する情報処理部を保持しつつディスク状記録媒体に対して良好に進退可能な情報処理部保持装置、および、ディスク装置を提供することを１つの目的とする。
【課題を解決するための手段】
【０００７】
請求項１に記載の発明は、略箱状のケース体内に挿入されたディスク状記録媒体に対してピックアップを前記ディスク状記録媒体の径方向に略沿って移動させる移動用電動モータを備え前記ディスク状記録媒体に記録された情報を処理する情報処理部を、前記ディスク状記録媒体に対して進退可能に保持する情報処理部保持装置であって、略枠状に形成され、一縁側が前記ディスク状記録媒体の略中央に対して進退する状態で、他縁側が前記ケース体の側縁近傍に回動可能に軸支される保持装置本体と、前記移動用モータを保持するモータ保持部材と、前記移動用電動モータが前記保持装置本体の前記一縁側に位置する状態で前記モータ保持部材を前記保持装置本体に対して回動可能に保持する回動保持部と、を具備したことを特徴とした情報処理部保持装置である。
【０００８】
請求項８に記載の発明は、略箱状に形成されディスク状記録媒体を収納可能なケース体と、このケース体内に挿入されたディスク状記録媒体に対してピックアップを前記ディスク状記録媒体の径方向に略沿って移動させる移動用電動モータを備え前記ディスク状記録媒体に記録された情報を処理する情報処理部と、この情報処理部を前記ディスク状記録媒体に対して進退可能に保持する請求項１ないし請求項７のいずれかに記載の情報処理部保持装置と、を具備したことを特徴としたディスク装置である。
【発明を実施するための最良の形態】
【０００９】
〔ディスク装置の構成〕
以下、本発明の一実施の形態を図面に基づいて説明する。
本実施の形態では、ディスク状記録媒体としての光ディスクに情報を記録および読み出すいわゆるスロットインタイプのディスク装置を例示して説明する。また、ディスク装置は、読取処理あるいは記録処理の一方のみを実施する構成としてもよい。さらに、ディスク状記録媒体としては、光ディスクに限らず、磁気ディスク、光磁気ディスクなどのいずれのディスク状の記録媒体を対象とすることができる。
図１は、本実施の形態に係るディスク装置の概略構成を示す一部を切り欠いた平面図である。図２は、ディスク処理部を示す底面図である。図３は、移動駆動機構保持部を示す平面図である。図４は、移動駆動機構保持部を示す側面図である。図５は、移動駆動機構保持部をリードスクリュの先端側から見た図である。
【００１０】
図１において、１００はディスク装置で、このディスク装置１００は、例えば携帯型のパーソナルコンピュータなどの電気機器に装着されるいわゆる薄型のスロットインタイプである。このディスク装置１００は、着脱可能に装着されるディスク状記録媒体としての円板状の光ディスクＸにおける少なくとも一面に設けられた図示しない記録面に記録された情報を読み出す情報処理である読取処理および記録面へ各種情報を記録する情報処理である記録処理をする。そして、ディスク装置１００は、例えば金属製で内部空間を有する略箱形状のケース体１１０を有している。
このケース体１１０には、一側面に例えば合成樹脂にて細長板状に形成された化粧板１１１が設けられている。この化粧板１１１には、長手方向に沿ってスリット状に設けられた図示しない開口部が設けられている。そして、ケース体１１０内には、いわゆるトラバースメカと称されるディスク処理部２００と、図示しない搬送手段と、駆動部４５０と、制御回路部と、が配設されている。
【００１１】
ディスク処理部２００は、光ディスクＸの処理、すなわち光ディスクＸの記録面に対して読取処理および記録処理を実施する。このディスク処理部２００は、駆動部４５０により回動可能にケース体１１０内に配設されている。そして、ディスク処理部２００は、保持装置本体としての台座部２１０と、情報処理部を構成するディスク回転駆動手段２３０と、情報処理部を構成する移動処理手段３５０と、情報処理部を構成するピックアップ装置４３０と、などを備えている。
【００１２】
台座部２１０は、例えば図１および図２に示すように、例えば金属板にて平面視で扁平八角形状に形成された長手枠状の台座基部２１１を備えている。この台座基部２１１には、扁平八角形状の中央に向けて延出する台座延出部２１２が設けられている。そして、この台座延出部２１２の先端により、台座開口部２１３が形成されている。
【００１３】
台座基部２１１の長手方向の一端側には、扁平八角形状の外側に向けて平面視で略コ字状の板状に突出する第１台座取付部２１４Ａが設けられている。
また、台座基部２１１の長手方向の他端側には、扁平八角形状の外側に向けてそれぞれ略棒状に突出する、第１台座係合部２１６Ａと、第２台座係合部２１６Ｂとが設けられている。第１台座係合部２１６Ａは、台座基部２１１の長手方向に対して一方側に傾いた方向へ、第２台座係合部２１６Ｂは、台座基部２１１の長手方向に対して他方側に傾いた方向へ、それぞれ突出する状態で設けられている。
【００１４】
そして、台座部２１０は、第１台座取付部２１４Ａが弾性部材２２０を介してねじ部材２２１によりケース体１１０に取り付けられるとともに、第１，第２台座係合部２１６Ａ，２１６Ｂが後述する移動カム４６０に係合する状態でケース体１１０内に配設される。つまり、台座部２１０は、詳しくは後述するが、第１台座取付部２１４Ａを含む状態で設定され、台座基部２１１の長手方向と略直交する仮想回動軸Ｃ１を中心に回動可能に、長手方向の一端側がケース体１１０に軸支されている。
なお、仮想回動軸Ｃ１を、台座基部２１１の長手方向と略直交しない状態に設定してもよい。
【００１５】
ディスク回転駆動手段２３０は、光ディスクＸを着脱可能に軸支して回転させる。このディスク回転駆動手段２３０は、ターンテーブル保持部２４０と、回転用電動モータ３００と、ターンテーブル３１０と、などを備えている。
【００１６】
ターンテーブル保持部２４０は、回路基板により略円板状に形成された保持部材本体２４１を備えている。
この保持部材本体２４１の一面は、回転用電動モータ３００が設けられるモータ配置面２４１Ａとされ、他面は、ターンテーブル３１０が設けられるテーブル配置面２４１Ｂとされている。
そして、保持部材本体２４１は、ねじ部材２４２にて、台座基部２１１における長手方向の他端側に位置する状態で台座延出部２１２に取り付けられている。
【００１７】
保持部材本体２４１のモータ配置面２４１Ａに設けられる回転用電動モータ３００は、例えばスピンドルモータで制御回路部に制御されて駆動する。
保持部材本体２４１のテーブル配置面２４１Ｂに設けられるターンテーブル３１０は、光ディスクＸの中心に開口形成された軸孔Ｘ１（図６参照）に嵌挿して軸支する略円柱状のテーブル回転軸３１１と、このテーブル回転軸３１１の外周面にフランジ状に突設され光ディスクＸの軸孔Ｘ１の周縁が載置されるテーブル載置面３１２Ａを有するテーブル鍔部３１２と、などを備えている。そして、ターンテーブル３１０は、回転用電動モータ３００の回転駆動により回転し、光ディスクＸを回転させる。
【００１８】
移動処理手段３５０は、台座部２１０に配設され、ピックアップ装置４３０を台座部２１０の長手方向で移動させる。
この移動処理手段３５０は、一対のガイドシャフト３５１と、移動用電動モータ３５２と、リードスクリュ３５３と、移動駆動機構保持部３６０と、などを備えている。
ガイドシャフト３５１は、例えば金属製の細長棒状に形成され、軸方向が台座基部２１１の長手方向に略沿う状態でそれぞれ略平行に台座延出部２１２に配設されている。
移動用電動モータ３５２は、例えばステッピングモータである。この移動用電動モータ３５２は、図２〜図４に示すように、略箱状のモータ本体３５２Ａと、このモータ本体３５２Ａの軸突出面３５２Ａ１から突出する図示しない出力軸と、などを備え、制御回路部に制御されて駆動する。
リードスクリュ３５３は、例えば金属製の細長棒状で、外周面に螺旋状の係合溝３５３Ａが設けられている。このリードスクリュ３５３は、移動用電動モータ３５２の出力軸に連結され、移動用電動モータ３５２の駆動により回転する。
【００１９】
移動駆動機構保持部３６０は、移動用電動モータ３５２およびリードスクリュ３５３を、リードスクリュ３５３がガイドシャフト３５１に近接して略平行に位置する状態に保持する。
この移動駆動機構保持部３６０は、図２〜図５に示すように、台座部２１０に取り付けられる機構保持取付部材３７０と、移動用電動モータ３５２およびリードスクリュ３５３を保持するモータ保持部材としての機構保持配置部材３９０と、機構保持取付部材３７０に対して機構保持配置部材３９０を回動させる状態に付勢する進出時回動位置決め部を構成する回動付勢手段である回動付勢ばね部材４１０と、を備えている。
【００２０】
機構保持取付部材３７０は、略長方形板状に形成された取付基部３７１を備えている。この取付基部３７１には、長手方向に沿って２個の取付孔部３７１Ａが開口形成されている。そして、取付基部３７１は、取付孔部３７１Ａに挿通されたねじ部材３６３により、長手方向が台座基部２１１の長手方向と略一致し、かつ、その面方向が台座基部２１１の台座上端面２１１Ａの面方向と平行となる状態で台座延出部２１２に取り付けられる。
【００２１】
また、取付基部３７１の短手方向の一側縁には、取付基部３７１の面方向と略直交する方向に延出する取付側対向部３７２が一体的に設けられている。この取付側対向部３７２は、長手方向の寸法が取付基部３７１よりも大きい略長方形板状に形成され、長手方向が取付基部３７１の長手方向と略一致し、かつ、長手方向の略中央から一端側にかけての部分が取付基部３７１の面外に突出する状態で設けられている。
この取付側対向部３７２における長手方向の一端側には、略円形状に開口形成された回動軸挿通孔部３７２Ａが設けられている。
また、取付側対向部３７２における長手方向の他端側には、長手方向が取付側対向部３７２の短手方向と略一致する状態で略長円状に開口形成された長孔部３７２Ｂが設けられている。この長孔部３７２Ｂは、取付基部３７１側に設けられた半円弧状の第１長孔当接部３７２Ｂ１と、取付基部３７１と反対側に設けられた半円弧状の進出時回動位置決め部を構成する回動規制手段としての第２長孔当接部３７２Ｂ２と、を備えている。
さらに、取付側対向部３７２における回動軸挿通孔部３７２Ａおよび長孔部３７２Ｂの間には、舌片状に切り起こし形成されたばね掛け部３７２Ｃが設けられている。このばね掛け部３７２Ｃは、取付基部３７１の面内側に向けて立設するばね掛け基部３７２Ｃ１と、このばね掛け基部３７２Ｃ１の先端から回動軸挿通孔部３７２Ａに向けて延出するばね掛け先端部３７２Ｃ２と、にて、舌片状に切り起こされた構成を有している。
【００２２】
機構保持配置部材３９０は、取付側対向部３７２と略等しい略長方形板状に形成された配置側対向部３９１を備えている。この配置側対向部３９１における長手方向の一端側には、略円形状に開口形成された回動保持部を構成する軸受部としての回動軸挿通孔部３９１Ａが設けられている。
また、配置側対向部３９１における長手方向の他端側には、略円形状に開口形成された回動規制軸挿通孔部３９１Ｂが設けられている。
【００２３】
さらに、配置側対向部３９１の短手方向の一側縁には、配置側対向部３９１の面方向と略直交する方向に延出するスクリュ対向部３９２が一体的に設けられている。このスクリュ対向部３９２は、長手方向の寸法が配置側対向部３９１よりも若干大きい略長方形板状に形成され、長手方向が配置側対向部３９１の長手方向と略一致する状態で設けられている。
【００２４】
また、スクリュ対向部３９２における長手方向の一側縁には、スクリュ対向部３９２の面方向と略直交する方向に延出するモータ取付部３９３が一体的に設けられている。このモータ取付部３９３は、配置側対向部３９１と同一方向に延出し、かつ、その延出した先端が配置側対向部３９１から若干突出する略長方形板状に形成されている。また、このモータ取付部３９３の略中央には図示しないスクリュ挿通孔が開口形成されている。そして、モータ取付部３９３には、その一面がモータ本体３５２Ａの軸突出面３５２Ａ１に密着し、スクリュ挿通孔に挿通されたリードスクリュ３５３がスクリュ対向部３９２の一面と対向する状態で、移動用電動モータ３５２が取り付けられている。
【００２５】
さらに、スクリュ対向部３９２の長手方向の他側縁には、モータ取付部３９３と同一方向に延出するスクリュ支持部３９４が一体的に設けられている。このスクリュ支持部３９４は、モータ取付部３９３と略等しい形状に形成されている。また、スクリュ支持部３９４の略中央には、リードスクリュ３５３の先端側が回転可能に係合されるスクリュ先端係合部３９４Ａが設けられている。
【００２６】
そして、機構保持配置部材３９０は、回動軸挿通孔部３７２Ａ，３９１Ａに挿通された回動保持部を構成する保持部材回動軸４００と、長孔部３７２Ｂおよび回動規制軸挿通孔部３９１Ｂに挿通された回動規制軸４０１と、により、配置側対向部３９１が取付側対向部３７２に密着し、かつ、保持部材回動軸４００を中心に回動可能に設けられている。つまり、機構保持取付部材３７０から突出する状態で設けられた保持部材回動軸４００を、回動軸挿通孔部３９１Ａで受ける構成により、機構保持配置部材３９０は、台座部２１０に対して回動可能に設けられている。
また、機構保持配置部材３９０は、回動規制軸４０１が長孔部３７２Ｂの第２長孔当接部３７２Ｂ２に当接した際に、取付基部３７１の面方向つまり台座上端面２１１Ａの面方向と、リードスクリュ３５３の軸方向と、が略平行の状態（以下、スクリュ台座平行状態と称す）となり、回動規制軸４０１が第１長孔当接部３７２Ｂ１近傍に位置した際に、台座上端面２１１Ａの面方向と、リードスクリュ３５３の軸方向と、が交差する状態（以下、スクリュ台座交差状態と称す）となるように、回動が規制されている。
【００２７】
回動付勢ばね部材４１０は、１本の針金４１０Ａを螺旋状に巻回して形成されたばね基部４１１を備えている。このばね基部４１１は、螺旋状の軸方向への弾性力を有さない形状に形成されている。
また、このばね基部４１１を構成する針金４１０Ａの一端側は、ばね基部４１１の軸方向一端側から螺旋状の接線方向に直線状に突出する第１ばね端突出部４１２とされている。さらに、針金４１０Ａの他端側は、ばね基部４１１の軸方向他端側から螺旋状の接線方向に直線状に突出する第２ばね端突出部４１３とされている。この第２ばね端突出部４１３は、第１ばね端突出部４１２に対して略平行となる状態で設けられている。なお、第２ばね端突出部４１３を、突出方向の先端側に向かうにしたがって、第１ばね端突出部４１２から離れる状態に設けてもよい。
【００２８】
そして、回動付勢ばね部材４１０は、ばね基部４１１の内部にばね掛け部３７２Ｃのばね掛け基部３７２Ｃ１が挿通する状態で設けられている。さらに、回動付勢ばね部材４１０は、第１ばね端突出部４１２が取付基部３７１に当接し、かつ、第２ばね端突出部４１３の先端が回動規制軸４０１における取付基部３７１と対向する側に当接する状態で設けられている。
このとき、回動付勢ばね部材４１０は、上述したように、第１，第２ばね端突出部４１２，４１３が略平行となる状態で設けられているため、取付基部３７１および回動規制軸４０１の間において、第１，第２ばね端突出部４１２，４１３の突出方向の先端側が互いに近づく状態に変形する。これにより、回動付勢ばね部材４１０は、第１，第２ばね端突出部４１２，４１３が近づく状態に変形した際の反力で、回動規制軸４０１を第２長孔当接部３７２Ｂ２に当接させる方向に付勢して、機構保持配置部材３９０をスクリュ台座平行状態となるように回動させる。
【００２９】
ここで、台座部２１０、第２長孔当接部３７２Ｂ２、機構保持配置部材３９０、回動軸挿通孔部３９１Ａ、保持部材回動軸４００、回動付勢ばね部材４１０により、本発明の情報処理部保持装置が構成されている。
【００３０】
ピックアップ装置４３０は、図１に示すように、光ディスクＸに対する読取処理および記録処理を実施するための装置で、ガイドシャフト３５１に移動可能に軸支されている。このピックアップ装置４３０は、ピックアップベース４３１と、このピックアップベース４３１に搭載されるピックアップ４３２と、を備えている。
ピックアップベース４３１は、例えばアルミニウム合金などにて形成され、一対のガイドシャフト３５１間に架橋する状態に移動可能に支持される。このピックアップベース４３１にはリードスクリュ３５３に係合する移動規制爪部４３１Ａが設けられている。そして、ピックアップベース４３１は、移動用電動モータ３５２の駆動によりリードスクリュ３５３が回転することで、ガイドシャフト３５１を移動する。
ピックアップ４３２は、制御回路部に送受信可能に接続され、制御回路部の制御により電力が適宜供給され、光ディスクＸの記録面に記録された各種情報を読み取る読取処理や、制御回路部からの各種情報を記録面に記録する記録処理を実施する。このピックアップ４３２は、図示しない光源と、対物レンズ４３２Ａを含む各種レンズ群と、図示しない光センサと、などを備えている。
【００３１】
搬送手段は、光ディスクＸをケース体１１０内外へ搬送する。この搬送手段は、複数の図示しないアームを備えている。各アームは、細長板状に適宜形成され、それぞれ長手方向の一端部がケース体１１０に回動可能に軸支され、他端部が光ディスクＸの周縁に当接可能となっている。そして、各アームは、制御回路部の制御により回動し、長手方向の各他端部を光ディスクＸの周縁に適宜当接させ、開口部を介してケース体１１０内へ光ディスクＸを記録面に沿って搬入あるいはケース体１１０外へ搬出する。
【００３２】
駆動部４５０は、制御回路部からの制御によりディスク処理部２００を適宜回動させる。この駆動部４５０は、ケース体１１０に配設され制御回路部に動作制御される図示しないモータと、このモータの駆動により移動する移動カム４６０と、を備えている。
移動カム４６０は、台座部２１０の第１，第２台座係合部２１６Ａ，２１６Ｂに係合するとともにモータに係合し、モータの駆動により移動されて台座部２１０を回動させる。具体的には、移動カム４６０は、移動に伴い第１，第２台座係合部２１６Ａ，２１６Ｂをケース体１１０の下面１１２に対して進退させ、台座基部２１１の長手方向と略直交する仮想回動軸Ｃ１を中心に台座部２１０を回動させる。
この台座部２１０の回動は、搬送手段により光ディスクＸが搬送される移動経路上に、ターンテーブル３１０が進退する状態である。具体的には、ターンテーブル３１０が光ディスクＸの移動経路上に進出する進出位置と、ターンテーブル３１０が光ディスクＸの移動経路上から後退して待避する後退位置との位置間で回動させる。
【００３３】
制御回路部は、例えば各種電気部品が搭載された複数の回路基板４７０上に構成され、ディスク装置１００全体の動作を制御する。
すなわち、制御回路部は、上述したように、搬送手段のアームを回動させて光ディスクＸをケース体１１０内外へ搬送する処理、駆動部４５０を制御して光ディスクＸの搬送状況に対応してディスク処理部２００を回動させる処理、ディスク回転駆動手段２３０を制御して光ディスクＸを適宜回転させる処理、移動処理手段３５０を制御してピックアップ装置４３０を適宜移動させる処理、ピックアップ４３２の制御による光ディスクＸの処理、などを実施する。
【００３４】
〔ディスク装置の動作〕
次に、上述したディスク装置１００の動作として、台座部２１０の回動動作について説明する。
図６は、台座部が進出位置まで回動した状態を示す模式図である。図７は、台座部が後退直前位置まで回動した状態を表す模式図である。図８は、台座部が後退位置まで回動した状態を表す模式図である。
【００３５】
ディスク装置１００の台座部２１０は、光ディスクＸがケース体１１０内に挿入された際に、図６に示すような進出位置に位置する。
この進出位置では、移動駆動機構保持部３６０の機構保持配置部材３９０に設けられた回動規制軸４０１は、回動付勢ばね部材４１０により、図６における時計回り方向に付勢される。そして、回動規制軸４０１は、時計回り方向に付勢されると、長孔部３７２Ｂの第２長孔当接部３７２Ｂ２に当接して時計回り方向への回動が規制される。この回動規制軸４０１の回動に伴い、機構保持配置部材３９０は、機構保持取付部材３７０に対して、すなわち台座部２１０に対して時計回り方向へ回動して、台座基部２１１の台座上端面２１１Ａの面方向およびリードスクリュ３５３の軸方向が略平行となるスクリュ台座平行状態となる。そして、台座部２１０が進出位置に位置する際、テーブル鍔部３１２のテーブル載置面３１２Ａが上面１１４と平行となり、ディスク装置１００は、ターンテーブル３１０で光ディスクＸを保持する。
【００３６】
また、台座部２１０は、例えば光ディスクＸの排出時や挿入待機時に、進出位置から図７に示すような後退直前位置まで回動する。
この後退直前位置まで回動する際に、機構保持配置部材３９０は、ケース体１１０の下面１１２に近接する方向へ移動して、モータ本体３５２Ａのモータ下面部３５２Ａ２が下面１１２に当接する。このとき、台座部２１０の台座後下端部２１１Ｂが下面１１２に当接していないため、機構保持配置部材３９０のスクリュ台座平行状態は、維持される。
【００３７】
さらに、台座部２１０は、後退直前位置から図８に示すような後退位置まで回動する。
この後退位置まで回動する際に、台座部２１０の台座後下端部２１１Ｂは、下面１１２に近接する方向へ移動する。そして、台座後下端部２１１Ｂが移動すると、機構保持配置部材３９０は、モータ本体３５２Ａのモータ下面部３５２Ａ２が下面１１２に当接しているため、台座部２１０に固定された機構保持取付部材３７０に対して回動する。
具体的には、機構保持取付部材３７０が台座部２１０の回動に伴い下面１１２に近接する方向へ移動すると、回動規制軸４０１が回動付勢ばね部材４１０の付勢力に抗して、長孔部３７２Ｂの第２長孔当接部３７２Ｂ２から第１長孔当接部３７２Ｂ１に近接する方向へ相対的に移動して、モータ下面部３５２Ａ２が下面１１２に当接しているにもかかわらず、台座部２１０は、さらに回動する。そして、回動規制軸４０１が第１長孔当接部３７２Ｂ１に近接する方向へ移動すると、機構保持配置部材３９０は、保持部材回動軸４００を中心に機構保持取付部材３７０に対して反時計回り方向へ回動して、スクリュ支持部３９４が下面１１２に近接する方向へ移動する。さらに、台座部２１０が回動すると、台座後下端部２１１Ｂが下面１１２に当接して台座部２１０の回動が規制されるとともに、回動規制軸４０１および第１長孔当接部３７２Ｂ１近傍に位置して、台座上端面２１１Ａの面方向およびリードスクリュ３５３の軸方向が交差するスクリュ台座交差状態となる。
このように、機構保持配置部材３９０がスクリュ台座交差状態となると、ターンテーブル３１０のテーブル回転軸３１１の回転軸上面３１１Ａと、上面１１４と、の間に挿入スペースＳ１が形成される。
そして、機構保持配置部材３９０が台座部２１０に対して回動しない場合、つまり、図７に示すような後退直前位置で台座部２１０の回動が規制されてスクリュ台座平行状態が維持される構成の場合、回転軸上面３１１Ａが図７の想像線で示す位置に位置し、挿入スペースＳ１は、機構保持配置部材３９０が回動する構成と比べて狭くなる。
【００３８】
〔ディスク装置の作用効果〕
上述したように、上記実施の形態では、ディスク装置１００に、台座基部２１１の長手方向と略直交する仮想回動軸Ｃ１を中心に回動可能に長手方向の一端側がケース体１１０に軸支された台座部２１０と、移動用電動モータ３５２が設けられる機構保持配置部材３９０と、機構保持取付部材３７０から突出する状態で設けられた保持部材回動軸４００と、機構保持配置部材３９０に設けられ保持部材回動軸４００を受ける回動軸挿通孔部３９１Ａと、を設けている。
このため、台座部２１０を、モータ本体３５２Ａが下面１１２に当接し、かつ、台座後下端部２１１Ｂが下面１１２に当接していない後退直前位置から、さらに回動させた際に、機構保持配置部材３９０を台座部２１０に対して回動させて、台座上端面２１１Ａの面方向およびリードスクリュ３５３の軸方向が略平行となるスクリュ台座平行状態から台座上端面２１１Ａの面方向およびリードスクリュ３５３の軸方向が交差するスクリュ台座交差状態に移行させることにより、台座後下端部２１１Ｂが下面１１２に当接する後退位置まで移動させることができる。
ここで、機構保持配置部材３９０が台座部２１０に対して回動しない構成の場合、台座部２１０が後退直前位置まで回動してモータ本体３５２Ａが下面１１２に当接すると、このモータ本体３５２Ａおよび下面１１２の当接により台座部２１０の回動が規制されて、台座部２１０を後退位置まで移動させることができない。
したがって、ディスク装置１００の厚型化を招くことなく、台座部２１０の回動量を多くすることができ、回転軸上面３１１Ａおよび上面１１４の間に形成される挿入スペースＳ１を、機構保持配置部材３９０が回動しない構成と比べて広くすることができる。よって、光ディスクＸに記録された情報を処理する構成を保持しつつ光ディスクＸに対して良好に進退できる構成を提供できる。
さらに、従来の構成と比べて台座部２１０の回動量を多くすることができるので、ディスク装置１００の小型化を容易に図ることができる。
【００３９】
また、機構保持配置部材３９０を、回動軸挿通孔部３９１Ａで保持部材回動軸４００を受けることにより、台座部２１０に対して回動可能な構成としている。
このため、保持部材回動軸４００を回動軸挿通孔部３９１Ａで受けるだけの簡単な構成で、機構保持配置部材３９０を台座部２１０に対して回動させることができ、ディスク装置１００の構成の簡略化を図ることができる。
【００４０】
さらに、台座部２１０が進出位置まで回動した際に、機構保持配置部材３９０を回動させてスクリュ台座平行状態に位置決めする構成を設けている。
このため、台座部２１０が進出位置まで回動した際に、機構保持配置部材３９０をスクリュ台座平行状態に位置決めするので、リードスクリュ３５３の軸方向と、ピックアップベース４３１の移動方向と、が略一致しないことによるピックアップ装置４３０を適切に移動させることができない状態を確実に回避できる。
【００４１】
そして、機構保持配置部材３９０をスクリュ台座平行状態に位置決めする構成として、機構保持配置部材３９０を回動させる状態に付勢する回動付勢ばね部材４１０と、回動規制軸４０１が当接されることによりスクリュ台座平行状態に位置決めする第２長孔当接部３７２Ｂ２と、を適用している。
このため、回動付勢ばね部材４１０により機構保持配置部材３９０を一方向に回動させる状態に付勢して、回動規制軸４０１および第２長孔当接部３７２Ｂ２の当接により回動を規制するだけの簡単な構成で、機構保持配置部材３９０をスクリュ台座平行状態に確実に位置決めできる。
【００４２】
また、機構保持配置部材３９０を付勢する構成として、針金４１０Ａを螺旋状に巻回して形成されたばね基部４１１と、このばね基部４１１の軸方向両端側から螺旋状の接線方向に直線状に突出する第１，第２ばね端突出部４１２，４１３と、を備えた回動付勢ばね部材４１０を適用している。
このため、比較的軽量かつ小型な針金４１０Ａで構成された回動付勢ばね部材４１０を適用することにより、ディスク装置１００の軽量化および小型化を容易に図ることができる。
【００４３】
さらに、保持部材回動軸４００を、台座部２１０における第１台座取付部２１４Ａ側、つまりケース体１１０に軸支される側に設けている。
このため、ピックアップ装置４３０を第１台座取付部２１４Ａ側に移動させてから、つまり保持部材回動軸４００の近傍でリードスクリュ３５３の係合溝３５３Ａおよびピックアップベース４３１の移動規制爪部４３１Ａを係合させてから、台座部２１０を進出位置から後退位置まで回動させる際に、機構保持配置部材３９０の回動に伴う、係合溝３５３Ａおよび移動規制爪部４３１Ａの係合部分のずれ量を最小限に抑えることができる。したがって、係合溝３５３Ａおよび移動規制爪部４３１Ａの係合が解除されることによるピックアップ装置４３０を適切に移動させることができない状態を回避できる。
【００４４】
〔実施の形態の変形〕
なお、本発明は、上述した一実施の形態に限定されるものではなく、本発明の目的を達成できる範囲で以下に示される変形をも含むものである。
【００４５】
すなわち、上記実施の形態では、ディスク装置１００は、ノート型パーソナルコンピュータなどに搭載可能な薄型ディスク装置を例示したが、これに限定されず、例えばデスクトップ型パーソナルコンピュータなどに搭載される比較的大型のディスク装置にも適用することができる。
【００４６】
また、図９および図１０に示すように、ステッピングモータである移動用電動モータ３５２、および、リードスクリュ３５３の代わりに、ＤＣモータである移動用電動モータ７０１、および、リードスクリュ７０２を適用する場合、移動駆動機構保持部７５０を適用してもよい。
ここで、移動用電動モータ７０１は、略箱状のモータ本体７０１Ａと、このモータ本体７０１Ａの軸突出面７０１Ａ１から突出する出力軸７０１Ｂと、などを備えている。出力軸７０１Ｂには、情報処理部および動力伝達機構を構成する第１動力伝達ギア７０３が設けられている。また、リードスクリュ７０２は、丸棒状に形成されている。このリードスクリュ７０２の軸方向の一端から他端近傍にかけての部分には、ピックアップベース４３１の移動規制爪部４３１Ａに係合する係合溝７０２Ａが設けられている。また、リードスクリュ７０２の軸方向の他端近傍には、第１動力伝達ギア７０３に噛合する情報処理部および動力伝達機構を構成する第２動力伝達ギア７０４が設けられている。
そして、移動用電動モータ７０１が駆動すると、第１，第２動力伝達ギア７０３，７０４を介して伝達される動力により、リードスクリュ７０２が回転し、このリードスクリュ７０２の回転により、ピックアップ装置４３０が移動する。なお、第１，第２動力伝達ギア７０３，７０４の代わりに、ゴムベルトなど、移動用電動モータ７０１の動力をリードスクリュ７０２に伝達可能ないずれの構成を適用してもよい。
【００４７】
そして、移動駆動機構保持部７５０は、台座部２１０に取り付けられるとともにリードスクリュ７０２を保持する機構保持取付部材７６０と、移動用電動モータ７０１を保持する情報処理部保持装置を構成するモータ保持部材としての機構保持配置部材７８０と、図示しない回動付勢ばね部材と、図示しない回動規制部と、を備えている。
【００４８】
機構保持取付部材７６０は、取付孔部３７１Ａを有する取付基部３７１を備えている。この取付基部３７１の短手方向の一側縁には、取付基部３７１の面方向と略直交する方向に延出する連結部７６２が一体的に設けられている。この連結部７６２は、長手方向の寸法が取付基部３７１よりも大きい略長方形板状に形成され、長手方向が取付基部３７１の長手方向と略一致し、かつ、長手方向の略中央から一端側にかけての部分が取付基部３７１の面外に突出する状態で設けられている。
【００４９】
また、連結部７６２の短手方向の一側縁には、連結部７６２の面方向と略直交する方向に延出するスクリュ対向部７６３が一体的に設けられている。このスクリュ対向部７６３は、連結部７６２より若干大きい略長方形板状に形成され、長手方向が連結部７６２の長手方向と略一致し、かつ、取付基部３７１と反対側に延出する状態で設けられている。
【００５０】
さらに、スクリュ対向部７６３の長手方向の一側縁には、スクリュ対向部７６３の面方向と略直交する方向に延出する取付側対向部７６４が一体的に設けられている。この取付側対向部７６４は、連結部７６２と同一方向に延出し、かつ、その延出した先端が取付基部３７１よりも若干突出する略長方形板状に形成されている。また、この取付側対向部７６４には、リードスクリュ７０２の他端側が挿通される情報処理部保持装置および回動保持部を構成する第２スクリュ挿通孔７６４Ａが開口形成されている。
【００５１】
また、スクリュ対向部７６３の長手方向の他側縁には、取付側対向部７６４と同一方向に延出するスクリュ支持部７６５が一体的に設けられている。このスクリュ支持部７６５は、取付側対向部７６４と略等しい形状に形成されている。また、スクリュ支持部７６５の略中央には、リードスクリュ７０２の一端側が回転可能に係合される情報処理部保持装置および回動保持部を構成する第２スクリュ端係合部７６５Ａが設けられている。
【００５２】
機構保持配置部材７８０は、略長方形板状の配置基部７８１を備えている。
この配置基部７８１の短手方向の一側縁には、配置基部７８１の面方向と略直交する方向に延出するモータ取付部としても機能するモータスクリュ取付部７８２が一体的に設けられている。このモータスクリュ取付部７８２は、略長方形板状に形成され、長手方向が配置基部７８１の長手方向と略一致する状態で設けられている。また、モータスクリュ取付部７８２の長手方向の一端側には、図示しない出力軸挿通孔が開口形成されている。そして、モータスクリュ取付部７８２には、その一面がモータ本体７０１Ａの軸突出面７０１Ａ１に密着し、出力軸挿通孔に挿通された出力軸７０１Ｂが配置基部７８１の面内側に突出する状態で、移動用電動モータ７０１が取り付けられている。
さらに、モータスクリュ取付部７８２の長手方向の他端側には、リードスクリュ７０２の他端側が回転可能に係合される第１スクリュ端係合部７８２Ａが設けられている。
【００５３】
また、配置基部７８１の短手方向の他側縁には、モータスクリュ取付部７８２と同一方向に延出する配置側対向部７８３が一体的に設けられている。この配置側対向部７８３は、略正方形板状に形成され、モータスクリュ取付部７８２の第１スクリュ端係合部７８２Ａと対向する位置に設けられている。そして、この配置側対向部７８３には、リードスクリュ７０２の他端側が挿通される第１スクリュ挿通孔７８３Ａが開口形成されている。
また、リードスクリュ７０２における第１スクリュ挿通孔７８３Ａおよび第１スクリュ端係合部７８２Ａの間に位置する部分に、第２動力伝達ギア７０４が設けられている。
【００５４】
そして、機構保持配置部材７８０は、第１，第２スクリュ挿通孔７８３Ａ，７６４Ａに挿通されたリードスクリュ７０２により、配置側対向部７８３が取付側対向部７６４に密着し、かつ、リードスクリュ７０２における第１，第２スクリュ挿通孔７８３Ａ，７６４Ａに挿通された部分を中心に回動可能に設けられている。
【００５５】
回動付勢ばね部材は、例えば配置側対向部７８３および取付側対向部７６４の近傍に設けられ、機構保持配置部材７８０を機構保持取付部材７６０に対して、つまり台座部２１０に対して、図１１に示す矢印Ｙ１の方向へ回動させる状態に付勢する。
【００５６】
回動規制部は、例えば配置側対向部７８３および取付側対向部７６４の近傍に設けられ、回動付勢ばね部材による機構保持配置部材７８０の回動を図１１に示す位置で規制する。なお、以下において、図１１に示すような回動規制部により回動が規制されている状態を、機構保持部平行状態と称して説明する。
【００５７】
このような構成では、台座部２１０が進出位置に位置している場合、移動駆動機構保持部７５０は、図１１に示すような機構保持平行状態が維持される。また、図１０の想像線で示すように、ケース体１１０の下面１１２に、移動用電動モータ７０１のモータ後下端部７０１Ａ２が当接する後退直前位置に位置している場合も、機構保持平行状態が維持される。
そして、台座部２１０が後退位置まで移動するために、図１０に示す矢印Ｙ２の方向へ回動すると、機構保持配置部材７８０が回動付勢ばね部材の付勢力に抗して、図１２に示す矢印Ｙ３の方向へ回動して、モータ後下端部７０１Ａ２が下面１１２に当接しているにもかかわらず、台座部２１０は、さらに回動する。さらに、台座部２１０が回動すると、ここでは図示しないが、台座後下端部２１１Ｂが下面１１２に当接して台座部２１０の回動が規制され、移動駆動機構保持部７５０は、図１２に示すような機構保持部交差状態となる。
このように、機構保持配置部材７８０が機構保持部交差状態となると、ここでは図示しないが、ターンテーブル３１０の回転軸上面３１１Ａと、ケース体１１０の上面１１４と、の間に挿入スペースが形成される。
そして、機構保持配置部材７８０が台座部２１０に対して回動しない場合、つまり、図１０に示すような後退直前位置で台座部２１０の回動が規制されて機構保持部平行状態が維持される構成の場合、機構保持配置部材７８０が回動する構成と比べて、回転軸上面３１１Ａが上面１１４に近接した位置に位置する。すなわち、挿入スペースＳ１は、機構保持配置部材７８０が回動する構成と比べて狭くなる。
【００５８】
このような構成にすれば、台座部２１０を、モータ本体７０１Ａが下面１１２に当接し、かつ、台座後下端部２１１Ｂが下面１１２に当接していない後退直前位置から、さらに回動させた際に、機構保持配置部材７８０を台座部２１０に対して回動させて、機構保持部平行状態から機構保持部交差状態に移行させることにより、台座後下端部２１１Ｂが下面１１２に当接する後退位置まで移動させることができる。
したがって、ディスク装置１００の厚型化を招くことなく、台座部２１０の回動量を多くすることができ、上記実施の形態と同様の作用により、光ディスクＸに対して良好に進退できる構成を提供できるとともに、ディスク装置１００の小型化を容易に図ることができる。
【００５９】
また、機構保持配置部材３９０を台座部２１０に対して回動させる構成、つまり、本発明の回動保持部としては、例えば機構保持配置部材３９０に設けたギアと、このギアに噛合し台座部２１０の回動に伴い移動するラックや回転するギアと、を適用してもよい。
【００６０】
そして、台座部２１０が進出位置まで回動した際に機構保持配置部材３９０をスクリュ台座平行状態に位置決めする構成、つまり、本発明の進出時回動位置決め部を構成する回動付勢ばね部材４１０および長孔部３７２Ｂを設けない構成としてもよい。
また、本発明の進出時回動位置決め部として、例えば機構保持配置部材３９０に設けたギアと、このギアに噛合し台座部２１０の回動に伴い移動するラックや回転するギアと、を適用してもよい。
さらに、回動付勢ばね部材４１０の代わりに、回動付勢手段として、針金を螺旋状に巻回して形成された付勢ばね部材や、樹脂などで構成された弾性部材などを適用して、付勢ばね部材や弾性部材が伸ばされた状態、あるいは、縮められた状態に変形された際の反力により、機構保持配置部材３９０を回動させてもよい。
また、回動付勢ばね部材４１０の第１，第２ばね端突出部４１２，４１３が離れる状態に変形された際の反力により、機構保持配置部材３９０を回動させてもよい。
そして、回動付勢ばね部材４１０の代わりに、回動付勢手段として、おもりを適用して、このおもりの重みにより、機構保持配置部材３９０を回動させてもよい。
【００６１】
また、保持部材回動軸４００を、台座部２１０におけるターンテーブル３１０が位置する側に設けてもよい。
【００６２】
その他、本発明の実施の際の具体的な構造および手順は、本発明の目的を達成できる範囲で他の構造などに適宜変更できる。
【００６３】
〔実施の形態の効果〕
上述したように、上記実施の形態では、ディスク装置１００に、台座基部２１１の長手方向と略直交する仮想回動軸Ｃ１を中心に回動可能に長手方向の一端側がケース体１１０に軸支された台座部２１０と、移動用電動モータ３５２が設けられる機構保持配置部材３９０と、機構保持取付部材３７０から突出する状態で設けられた保持部材回動軸４００と、機構保持配置部材３９０に設けられ保持部材回動軸４００を受ける回動軸挿通孔部３９１Ａと、を設けている。
このため、台座部２１０を、モータ本体３５２Ａが下面１１２に当接し、かつ、台座後下端部２１１Ｂが下面１１２に当接していない後退直前位置から、さらに回動させた際に、機構保持配置部材３９０を台座部２１０に対して回動させて、台座上端面２１１Ａの面方向およびリードスクリュ３５３の軸方向が略平行となるスクリュ台座平行状態から台座上端面２１１Ａの面方向およびリードスクリュ３５３の軸方向が交差するスクリュ台座交差状態に移行させることにより、台座後下端部２１１Ｂが下面１１２に当接する後退位置まで移動させることができる。
したがって、ディスク装置１００の厚型化を招くことなく、台座部２１０の回動量を多くすることができ、回転軸上面３１１Ａおよび上面１１４の間に形成される挿入スペースＳ１を、機構保持配置部材３９０が回動しない構成と比べて広くすることができる。よって、光ディスクＸに記録された情報を処理する構成を保持しつつ光ディスクＸに対して良好に進退できる構成を提供できる。
さらに、従来の構成と比べて台座部２１０の回動量を多くすることができるので、ディスク装置１００の小型化を容易に図ることができる。
【図面の簡単な説明】
【００６４】
【図１】本発明の一実施の形態に係るディスク装置の概略構成を示す一部を切り欠いた平面図である。
【図２】前記一実施の形態におけるディスク処理部を示す底面図である。
【図３】前記一実施の形態における移動駆動機構保持部を示す平面図である。
【図４】前記一実施の形態における移動駆動機構保持部を示す側面図である。
【図５】前記一実施の形態における移動駆動機構保持部をリードスクリュの先端側から見た図である。
【図６】前記一実施の形態における台座部が進出位置まで回動した状態を示す模式図である。
【図７】前記一実施の形態における台座部が後退直前位置まで回動した状態を表す模式図である。
【図８】前記一実施の形態における台座部が後退位置まで回動した状態を表す模式図である。
【図９】本発明の他の実施の形態に係る移動駆動機構保持部を示す平面図である。
【図１０】前記他の実施の形態における移動駆動機構保持部を示す側面図である。
【図１１】前記他の実施の形態における台座部が進出位置まで回動した状態での図９のＡ−Ａ線に沿った断面図である。
【図１２】前記他の実施の形態における台座部が後退位置まで回動した状態での図９のＡ−Ａ線に沿った断面図である
【符号の説明】
【００６５】
１００…ディスク装置
１１０…ケース体
２１０…情報処理部保持装置を構成する保持装置本体としての台座部
２３０…情報処理部を構成するディスク回転駆動手段
３５０…情報処理部を構成する移動処理手段
３５２，７０１…移動用電動モータ
３５２Ａ，７０１Ａ…モータ本体
３５３，７０２…リードスクリュ
３５３Ａ，７０２Ａ…係合溝
３７２Ｂ２…情報処理部保持装置および進出時回動位置決め部を構成する回動規制手段としての第２長孔当接部
３９０…情報処理部保持装置を構成するモータ保持部材としての機構保持配置部材
３９１Ａ…情報処理部保持装置および回動保持部を構成する軸受部としての回動軸挿通孔部
４００…情報処理部保持装置および回動保持部を構成する保持部材回動軸
４１０…情報処理部保持装置および進出時回動位置決め部を構成する回動付勢手段である回動付勢ばね部材
４１０Ａ…針金
４１１…ばね基部
４１２，４１３…第１，第２ばね端突出部
４３０…情報処理部を構成するピックアップ装置
４３１…ピックアップベース
４３１Ａ…移動規制爪部
４３２…ピックアップ
７０１Ｂ…出力軸
７０３，７０４…情報処理部および動力伝達機構を構成する第１，第２動力伝達ギア
７６４Ａ…情報処理部保持装置および回動保持部を構成する第２スクリュ挿通孔
７６５Ａ…情報処理部保持装置および回動保持部を構成する第２スクリュ端係合部
７８０…情報処理部保持装置を構成するモータ保持部材としての機構保持配置部材
７８２…モータ取付部としても機能するモータスクリュ取付部
７８２Ａ…第１スクリュ端係合部
７８３Ａ…第１スクリュ挿通孔
Ｘ…ディスク状記録媒体としての光ディスク
【図１】
2008152890.tif 000003
【図２】
2008152890.tif 000004
【図３】
2008152890.tif 000005
【図４】
2008152890.tif 000006
【図５】
2008152890.tif 000007
【図６】
2008152890.tif 000008
【図７】
2008152890.tif 000009
【図８】
2008152890.tif 000010
【図９】
2008152890.tif 000011
【図１０】
2008152890.tif 000012
【図１１】
2008152890.tif 000013
【図１２】
2008152890.tif 000014